(57)【要約】【課題】簡単かつ安価な構造で、陳列部に配置される電気機器に接続される配線ケーブルを、外部に露呈することなく収容することができる商品陳列装置を提供する。【解決手段】商品陳列装置１の背面パネル１９における左右の少なくとも一方の縁部と、支柱２ａとの間に可撓性閉塞部材２１を設け、可撓性閉塞部材２１を押し広げて、配線ケーブル１４を背面パネル１９の後方に差し入れる。配線ケーブル１４は接続する電気機器を設置した棚板の高さにおいて、可撓性閉塞部材２１を押し広げて再び背面パネル１９の前方に引き出す。【選択図】    図３
2005052213.tif 000002
【特許請求の範囲】
【請求項１】
左右１対の支柱の上部同士と下部同士を、左右方向を向く上下１対の横杆をもって互いに連結し、左右の支柱間に背面パネルを配設し、この背面パネルの前面に商品陳列手段を設けた商品陳列装置において、
背面パネルの左右方向の幅を左右の支柱の内面間の間隔より小として、前記背面パネルの一方の側端とそれに対向する支柱の内面との間に所要の間隙を形成し、それらの対向面のいずれか一方に、先端が他方の対向面に達する可撓性閉塞部材を設けたことを特徴とする商品陳列装置。
【請求項２】
左右の支柱間に、前後２枚の背面パネルを互いに前後方向に離間して配設し、少なくとも前方の背面パネルの左右方向の幅を左右の支柱の内面間の間隔より小として、前記背面パネルの一方の側端とそれに対向する支柱の内面との間に所要の間隙を形成し、それらの対向面のいずれか一方に、可撓性閉塞部材を設けたことを特徴とする請求項１記載の商品陳列装置。
【請求項３】
可撓性閉塞部材を、断面ほぼＤ字状の軟質合成樹脂材料により形成した請求項１または２記載の商品陳列装置。
【請求項４】
支柱から離間した背面パネルの側端に、上下方向を向く縦部サッシを嵌合し、前記側部サッシの外側面に可撓性閉塞部材の基端部を固着した請求項１〜３のいずれかに記載の商品陳列装置。
【発明の詳細な説明】
【０００１】
【発明の属する技術分野】
本発明は、陳列する商品のための照明装置や電気製品への給電等のための配線機能を備えた商品陳列装置に関する。
【０００２】
【従来の技術】
商品陳列棚においては、棚板の下面に、下段の棚板に陳列した商品を照らし出すための照明灯が取付けられたり、陳列する商品が電気製品の場合には、これに給電するためのソケットが設置されたりすることがある。このような照明灯やソケット等の電気機器には配線ケーブルを用いて配電する必要があるが、この際配線ケーブルが外部に露呈するようでは、体裁が悪く、顧客の商品購買意欲を減殺しかねない。
【０００３】
そこで、このような配線ケーブルを顧客の目に触れないようにするための方策として、支柱にレールコンセントを内蔵し、かつ支柱に係止させる棚受けブラケットの内部に配線コードを配置して、レールコンセントに導通させることにより、これらレールコンセントと配電ケーブルを介して、棚板に設置した照明灯その他の電気機器への通電を可能にした商品陳列棚が考案されている（例えば特許文献１または２参照）。また、配線ケーブルよりは外観のよい配線ダクトを商品陳列棚の外側に取り付け、配線ケーブルをこの配線ダクトの中を通すようにしたものも案出されている。
【０００４】
【特許文献１】
実用新案登録第３０４７１３９号公報
【特許文献２】
特開平９−９２４１８号公報
【０００５】
【発明が解決しようとする課題】
しかし、レールコンセントはそれ自体が高価であり、たとえ商品陳列棚一式を取り替えるのでなくとも、必要な関連部材の交換・補充と併せて、このような商品陳列棚へ移行するには、きわめて費用がかかる。
【０００６】
また、配線ダクトは、その位置が固定されるため、配線ケーブル取回しの自由度が低下する上、既存の商品陳列棚に新たに設置するのは難しく、結局商品陳列棚一式を取り替えることになって、既存の商品陳列棚が使えなくなることと併せ、やはり相当の費用がかかる。
【０００７】
本発明は上記事情に鑑みてなされたもので、簡単かつ安価な構造で、陳列部に配置される電気機器に接続される配線ケーブルを、外部に露呈するすることなく収容することができるとともに、配線の着脱作業が容易であり、しかも、既存の商品陳列棚にも容易に適用できるようにした商品陳列装置を提供することを目的としている。
【０００８】
【課題を解決するための手段】
本発明によれば、上記課題は次のようにして解決される。
（１）  左右１対の支柱の上部同士と下部同士を、左右方向を向く上下１対の横杆をもって互いに連結し、左右の支柱間に背面パネルを配設し、この背面パネルの前面に商品陳列手段を設けた商品陳列装置において、背面パネルの左右方向の幅を左右の支柱の内面間の間隔より小として、前記背面パネルの一方の側端とそれに対向する支柱の内面との間に所要の間隙を形成し、それらの対向面のいずれか一方に、先端が他方の対向面に達する可撓性閉塞部材を設ける。
【０００９】
（２）  上記（１）項において、左右の支柱間に、前後２枚の背面パネルを互いに前後方向に離間して配設し、少なくとも前方の背面パネルの左右方向の幅を左右の支柱の内面間の間隔より小として、前記背面パネルの一方の側端とそれに対向する支柱の内面との間に所要の間隙を形成し、それらの対向面のいずれか一方に、可撓性閉塞部材を設ける。
【００１０】
（３）  上記（１）または（２）項において、可撓性閉塞部材を、断面ほぼＤ字状の軟質合成樹脂材料により形成する。
【００１１】
（４）  上記（１）〜（３）項のいずれかにおいて、支柱から離間した背面パネルの側端に、上下方向を向く縦部サッシを嵌合し、前記側部サッシの外側面に可撓性閉塞部材の基端部を固着する。
【００１２】
【発明の実施の形態】
以下に、本発明の一実施形態を添付の図面を参照して説明する。
【００１３】
図１は、本発明の一実施形態である商品陳列装置の棚板とベース棚とを外した状態の斜視図であり、図２は、その要部の分解斜視図である。
【００１４】
商品陳列装置（１）においては、左右１対の支柱（２ａ）（２ｂ）の上部同士及び下部同士が、それぞれ左右方向を向く横杆（３ａ）（３ｂ）をもって互いに連結されている。また、支柱（２ａ）（２ｂ）の各前面には、上下方向に、棚受けブラケット（４）係止用の係止孔（５）が、左右２列として、等間隔で多数穿設されており、任意の係止孔（５）には、対となった棚受けブラケット（４）の後端に設けた係止片（図示せず）が係止されている。このようにして、任意の位置にそれぞれ係止される棚受けブラケット（４）を介して、所望の数の棚板（６）を、所望の高さに架設することができる。
【００１５】
対となった棚板ブラケット（４）（４）には２本の棚受け材（７ａ）（７ｂ）が架設され、棚板（６）は、棚受け材（７ａ）（７ｂ）の上に載置することによって支持される。また、前方の棚受け材（７ａ）には照明灯（８）が取付けられている。照明灯（８）を前方の棚受け材（７ａ）に設置するのは、下段の棚板に陳列される商品に前方から照明光から当たり、反射光が前方にいる顧客の目に入るようにするためである。
【００１６】
最下段の棚板はベース棚（９）となり、ベース棚（８）は、支柱（２ａ）（２ｂ）の最下部前面からそれぞれ延設されたサイドカバー（１０ａ）（１０ｂ）と、これら両サイドカバー（１０ａ）（１０ｂ）の前端に取付けられたキックプレート（１１）とによって支持されている。
【００１７】
両サイドカバー（１０ａ）（１０ｂ）とキックプレート（１１）とベース棚（９）とによって取り囲まれ、外部からは見えない空間には、各棚板（６）に取付けられる照明灯（８）用の安定器（１２）が各別に配設されている。外部の電源から取り出された配線ケーブル（１３）は、商品陳列棚（１）の後面下部にあるケーブル孔（１４）からこの空間内に入り、各安定器（１２）を経由して、ベース棚（９）の左後方の角部に引き出される。なお、図の簡明のため、配線ケーブル（１３）は、１つの安定器（１２）に接続されたもののみを示してある。
【００１８】
ところで、上下の横杆（３ａ）（３ｂ）の各対向面には、前後２列の横サッシ（１５ａ）（１５ｂ）が設けられており（上方の横杆（３ａ）については図示していない）、また右方の支柱（２ｂ）の左面にも、同様に２列の縦サッシ（１６ａ）（１６ｂ）が設けられている。他方、左方の支柱（２ａ）の右面には、後部に、１本の縦サッシ（１７）が設けられている。
【００１９】
横杆（３ａ）（３ｂ）と支柱（２ａ）（２ｂ）の各後方にある横サッシ（１５ｂ）および縦サッシ（１６ｂ）（１７）には、後方の背面パネル（１８）の上下左右の各縁部が嵌着されることにより、背面パネル（１８）が支持されている。一方、前方の背面パネル（１９）は、後方の背面パネル（１８）より左右方向の横幅が短く、上下および右側の３方の縁部が、横杆（３ａ）（３ｂ）と右の支柱（２ｂ）の各前方にある横サッシ（１５ａ）および縦サッシ（１６ａ）に嵌着されることにより支持されている。
【００２０】
前方の背面パネル（１９）の左縁は、上下の端部が横杆（３ａ）（３ｂ）に止着された上下方向を向く縦サッシ（２０）に嵌着され、縦サッシ（２０）の外側面には、その全長にわたって、ポリ塩化ビニル等の軟質合成樹脂材料からなる可撓性閉塞部材（２１）が貼着されている。
【００２１】
商品陳列棚（１）の組み立て時に、可撓性閉塞部材（２１）は支柱（２ａ）の右面に当接するため、前方の背面パネル（１９）の横幅が後方の背面パネル（１８）のそれより短いことにより生ずる間隙は、可撓性閉塞部材（２１）によって塞がれ、前方と後方の背面パネル（１９）（１８）、可撓性閉塞部材（２１）、支柱（２ａ）（２ｂ）によって取り囲まれた空間が形成される。
【００２２】
図３は、上述の空間と可撓性閉塞部材（２１）を含む、図１のＰ部の拡大断面図である。可撓性閉塞部材（２１）は、材質が軟質ポリ塩化ビニルであることに加え、断面がほぼＤ字状（この例ではＰ字状）となって中空部（２１ａ）を有するため、一層可撓性に富む構成となっている。
【００２３】
前述のベース棚（９）の左後方の角部に引き出された配線ケーブル（１４）は、２本のコード（１４ａ）（１４ｂ）からなり、これらは一体として、可撓性閉塞部材（２１）の下端部において、右方に押し広げた可撓性閉塞部材（２１’）と支柱（２ａ）の右面との間に生じた隙間（２２）を通して、符号（１４’）、（１４”）で示すように、内部の空間に挿入される。すなわち、この空間は配線ダクト（２３）の役割を果たし、配線ケーブル（１４”）は外部に露呈することはない。
【００２４】
配線ダクト（２３）に挿入された配線ケーブル（１４”）は、目的の照明灯（８）の高さの所で、挿入時とは逆の手順で配線ダクト（２３）から取り出され、左方の棚板ブラケット（４）の右面に沿って引き出された後、２本のコード（１４ａ）（１４ｂ）がそれぞれ照明灯（８）の両端に接続される。ここでも、配線ケーブル（１４）は、棚板ブラケット（４）と棚板（６）に隠されて、顧客の目に触れることはない。
【００２５】
本発明の商品陳列棚は背面パネルを１枚だけとした構成にすることもできるが、可撓性閉塞部材（２１）を背面パネルと支柱の間に介在させるため、ここで説明したように２枚の背面パネル（１８）（１９）を用いる方が構造が強固になる。また、配線ケーブル（１４）の本数が多くなるときは、前方の背面パネル（１９）の両縁部に可撓性閉塞部材（２１）を取り付けてもよい。さらに、後方の背面パネル（１８）の後面にも商品を陳列する場合は、背面パネル（１８）の横幅を若干小として、その側縁に、上記と同様の可撓性閉塞部材（２１）を取り付けてもよい。
【００２６】
ここで説明した商品陳列棚は、既存の商品陳列棚を利用して構成することもできる。すなわち、既存の商品陳列棚の背面パネルにおける左右いずれかの縁を所定の短い距離だけ縮めて切断し、切断部分に安価な可撓性閉塞部材（２１）を取り付けることにより、容易にかつ費用をかけずに本発明の商品陳列棚とすることができる。
【００２７】
【発明の効果】
本発明によれば、次のような効果を奏することができる。
（１）請求項１記載の発明によると、陳列する商品のために棚板周辺に配置される電気機器に接続される配線ケーブルを、外部に露呈することなく、背面パネルの後方に収容させることができ、かつこの配線ケーブルは、所望の位置で可撓性閉塞部材を押し広げることによって簡単に引き出すことができる。
【００２８】
（２）請求項２記載の発明によると、背面パネルの構造を強固にすることができるとともに、それらの間に前後が完全に閉塞された配線ダクト空間を形成することができる。
【００２９】
（３）請求項３記載の発明によると、可撓性閉塞部材に大きな可撓性を持たせることができ、配線ケーブルの出し入れの際、可撓性閉塞部材の掻き分けとその復元が容易に行われる。
【００３０】
（４）請求項４記載の発明によると、背面パネルの側端を縦サッシで覆うことができ、その縁部を補強することができるとともに、可撓性閉塞部材を取付け易くすることができる。
【図面の簡単な説明】
【図１】本発明の一実施態様における棚板とベース棚とを外した状態の斜視図である。
【図２】図１の商品陳列装置の要部の分解斜視図である。
【図３】図１のＰ部の拡大横断平面図である。
【符号の説明】
（１）商品陳列棚
（２ａ）（２ｂ）支柱
（３ａ）（３ｂ）  横杆
（４）棚板ブラケット
（５）係止孔
（６）棚板
（７ａ）（７ｂ）棚受け材
（８）照明灯
（９）ベース棚
（１０ａ）（１０ｂ）サイドカバー
（１１）キックプレート
（１２）安定器
（１３）配線ケーブル
（１４）ケーブル孔
（１５ａ）（１５ｂ）横サッシ
（１６ａ）（１６ｂ）（１７）（２０）縦サッシ
（１８）後方背面パネル
（１９）前方背面パネル
（２１）可撓性閉塞部材
（２１ａ）中空部
（２２）隙間
（２３）配線ダクト
【図１】
2005052213.tif 000003
【図２】
2005052213.tif 000004
【図３】
2005052213.tif 000005